(57)【要約】【課題】ライトパターン表示可能な電子装置を提供する。【解決手段】ケースと、ケースの内部に重なり合って配列されるとともに、それぞれが光入射面、光出射面及び光出射面に形成される光学図形を有する複数の光透過板と、ケースの内部に位置し、それぞれ光入射面に向かって光線を射出する複数の光源と、ケースの内部に位置し、光源に電気的に接続されて、少なくとも一つの光源から光線を射出させるための制御ユニットと、を含み、少なくとも一つの光源は、対向する光透過板の光入射面へ光線を射出して、この光線から光透過板の光学図形によってライトパターンを形成するライトパターン表示可能な電子装置。【選択図】図１
2016139109.tif 000002
【特許請求の範囲】
【請求項１】
表面に光透過領域を有するケースと、
重なり合って前記ケースの内部に配列されるとともに、それぞれが光入射面と、光出射面と、前記光出射面に形成される光学図形とを有し、前記光出射面から前記光透過領域までの投影が互いに重なる複数の光透過板と、
前記ケースの内部に位置して、それぞれ前記複数の光透過板の前記光入射面に対向する複数の光源と、
前記ケースの内部に位置し、前記複数の光源に電気的に接続されて、前記複数の光源の少なくとも一つから光線を射出するように制御する制御ユニットと、
を含み、
前記複数の光源の少なくとも一つは、対向する前記光透過板の前記光入射面へ光線を射出して、前記光線から前記光透過板の前記光学図形によってライトパターンを形成し、前記光透過領域に前記ライトパターンを表示するライトパターン表示可能な電子装置。
【請求項２】
前記制御ユニットは、検索テーブルによって前記複数の光源の中の一つから光線を個別に射出するように制御するように構成された請求項１に記載のライトパターン表示可能な電子装置。
【請求項３】
前記制御ユニットは、検索テーブルによって前記複数の光源の少なくとも二つから光線を同時に射出するように制御するように構成された請求項１に記載のライトパターン表示可能な電子装置。
【請求項４】
前記ライトパターンは、前記光学図形の少なくとも二つからなる請求項１又は３に記載のライトパターン表示可能な電子装置。
【請求項５】
前記複数の光源のそれぞれは、複数の発光ダイオード部材と配線板を含み、前記発光ダイオード部材が一方向に沿って直線的に前記配線板上に配列され、
前記制御ユニットは、前記発光ダイオード部材が前記方向へ向かって徐々に発光強度を逓増するように制御するように構成された請求項１〜４のいずれか1項に記載のライトパターン表示可能な電子装置。
【請求項６】
前記複数の光源は、それぞれ異なる色の光線を射出する請求項１〜５のいずれか1項に記載のライトパターン表示可能な電子装置。
【請求項７】
前記複数の光透過板のうち隣接する何れか二つの間に仕切りを有する請求項１〜６のいずれか1項に記載のライトパターン表示可能な電子装置。
【請求項８】
前記複数の光源のうち何れか一つは、連続又は不連続光源である請求項１〜７のいずれか1項に記載のライトパターン表示可能な電子装置。
【請求項９】
前記複数の光透過板の少なくとも一つは、交換可能に前記ケース上に設けられる請求項１〜８のいずれか1項に記載のライトパターン表示可能な電子装置。
【請求項１０】
それぞれ前記光入射面と前記光源との間に光結合される複数の導光部材を更に含む請求項１〜９のいずれか1項に記載のライトパターン表示可能な電子装置。
【発明の詳細な説明】
【技術分野】
【０００１】
本発明は、電子装置に関し、特にライトパターン表示可能な電子装置に関する。
【背景技術】
【０００２】
従来の電子装置の操作パネルでは、複数の指示アイコンが並び、光線が対応する指示アイコンを照射することによって、電子装置に、状態に応じて異なる位置に、その状態に対応する指示アイコンが現れる。操作パネルにおいては、その状態に対応する指示アイコンのみが発光し、他の指示アイコンは操作パネルで発光しないため、発光しないアイコンが操作パネルの面積を殆ど占用していた。
【先行技術文献】
【特許文献】
【０００３】
【特許文献１】台湾特許第I436134号公報
【発明の概要】
【発明が解決しようとする課題】
【０００４】
これに鑑みて、本発明の一目的は、上記従来の技術で言及した問題点を解決するためのライトパターン表示可能な電子装置を提供することにある。
【課題を解決するための手段】
【０００５】
上記の目的を達成するために、本発明の一実施形態によれば、ライトパターン表示可能な電子装置は、ケースと、複数の光透過板と、複数の光源と、制御ユニットを含む。ケース表面には光透過領域が設けられる。複数の光透過板は、ケースの内部に重なり合って配列される。複数の光透過板のそれぞれは、光入射面と、光出射面と光出射面に形成される光学図形を有する。複数の光透過板の光出射面からケースまでの光透過領域は互いに重なる。複数の光源は、ケースの内部に位置し、それぞれ、複数の光透過板の複数の光入射面に対向する。制御ユニットは、ケースの内部に位置し、複数の光源に電気的に接続されて、少なくとも一つの光源が光線を射出するのを制御するために用いられる。少なくともその中の一つの光源は、対向する光透過板の光入射面へ光線を射出することによって、光線から光透過板の光学図形によってライトパターンを形成し、光透過領域にライトパターンを表示させる。
【発明の効果】
【０００６】
このように、従来の技術と比べて、本発明の電子装置は、異なる状態で同じ領域に対応するライトパターンをそれぞれ生じさせることができるため、ケースのライトパターン表示に必要な領域面積を節約するだけでなく、他の表示されないアイコンによる妨害を低減し、更に視覚性と使用上の利便性を改善する。これ以外に、ユーザーがディスプレイモジュールを利用せずに、電子装置のケースにおける同じ領域でそれぞれ異なるライトパターンを表示させるニーズを実現することができるため、本発明は、効果的に製造コストを低減させ、更に多くの電子装置における利用可能な空間を提供することができる。
【０００７】
上記は、本発明が解决しようとする課題、課題を解决するための技術手段、及びその効果等を記述するためのものであり、本発明の具体的な細部は、下記の実施形態及び関連する図面において詳しく説明する。
【図面の簡単な説明】
【０００８】
本発明の上記及び他の目的、特徴、メリット及び実施例をより分かりやすくするための、添付図面の説明は以下の通りである。
【図１】本発明の第１の実施形態による電子装置を示す斜視模式図である。
【図２】本発明の第１の実施形態による電子装置を示す側面図である。
【図３Ａ】図２の観察方向Ｄからケース表面を見る場合に形成される一つのライトパターンである。
【図３Ｂ】図２の観察方向Ｄからケース表面を見る場合に形成される他のライトパターンである。
【図４】本発明の第２の実施形態による電子装置を示すブロック図である。
【図５Ａ】本発明の第３の実施形態による電子装置のケース表面に形成される一つのライトパターンを示す。
【図５Ｂ】本発明の第３の実施形態による電子装置のケース表面に形成される他の一つのライトパターンを示す。
【図５Ｃ】本発明の第３の実施形態による電子装置のケース表面に形成される更に一つのライトパターンを示す。
【図６】本発明の第４の実施形態による電子装置を示す側面図である。
【図７】本発明の第５の実施形態による電子装置を示す斜視模式図である。
【図８】本発明の第６の実施形態による電子装置を示す側面図である。
【発明を実施するための形態】
【０００９】
以下、図面で本発明の複数の実施形態を開示し、明らかに説明するために、下記叙述で多くの実際の細部を合わせて説明する。しかしながら、理解すべきなのは、これらの実際の細部は、本発明を制限するためのものではない。つまり、本発明の実施形態の一部において、これらの実際の細部は、必要ないものである。また、図面を簡略化するために、ある従来慣用の構造及び素子は、図面において簡単でモデル的に示される。
【００１０】
［第１の実施形態］
図１は、本発明の第１の実施形態による電子装置１０を示す斜視模式図である。図２は、本発明の第１の実施形態による電子装置１０を示す側面図である。図１と図２に示すように、第１の実施形態の電子装置１０は、ケース１００と、第１の光透過板２００と、第２の光透過板３００と、第１の光源５００と、第２の光源６００と、制御ユニット８００を含む。ケース１００の表面には光透過領域１１０（図３Ａを参照されたい）が設けられ、本実施形態において、光透過領域１１０は、例えば光線透過可能な光透過パネル（又は切り欠き）である。ケース１００の内部に収納空間１２０を有する。第１の光透過板２００と第２の光透過板３００は、ケース１００の収納空間１２０内に位置し、且つ互いに重なり合う。第１の光透過板２００は、第１の光入射面２１０と、第１の光出射面２２０と、少なくとも一つの第１の光学図形２３０を少なくとも有する。第１の光学図形２３０は、第１の光出射面２２０に形成される。第２の光透過板３００は、第２の光入射面３１０と、第２の光出射面３２０と、少なくとも一つの第２の光学図形３３０を少なくとも有する。第２の光学図形３３０は、第２の光出射面３２０に形成される。第１の光出射面２２０は、第２の光出射面３２０とケース１００の光透過領域１１０の間に介在し、ケース１００内部の表面に隣接し又は貼り合わされる。第１の光出射面２２０からケース１００までの光透過領域１１０の投影と第２の光出射面３２０からケース１００までの光透過領域１１０の投影とは、互いに重なる。第１の光源５００と第２の光源６００は、ケース１００の収納空間１２０内に位置する。一具体的な実施例において、第１の光源５００は、第１の光透過板２００の一側に位置し、且つ第１の光入射面２１０に対向する。第２の光源６００は、第２の光透過板３００の一側に位置し、且つ第２の光入射面３１０に対向する。制御ユニット８００は、ケース１００の収納空間１２０又は電子装置１０の本体内に位置し、且つ第１の光源５００と第２の光源６００に電気的に接続され、例えば、光線を第１の光入射面２１０又は／及び第２の光入射面３１０に投射するように信号を出して第１の光源５００又は／及び第２の光源６００を制御するための切換スイッチを備える。
【００１１】
図３Ａ〜図３Ｂは、図２の観察方向Ｄからケース１００表面を見る場合に形成される二つのライトパターンを示す。図１と図３Ａのように、一具体的な実施例において、ユーザーＵは、二つのライトパターンによって以下の応用ができるようになる。例えば、電子装置１０の置かれる状態を表すことや、ユーザーの気持ちを表すことができるなどである。制御ユニット８００は、光透過領域１１０の同じ位置で、電子装置１０の対応する状態を示すライトパターンを形成する。例を挙げると、制御ユニット８００は、電子装置１０が第１の状態にあると判断した場合には、第２の光源６００からの光を遮断し且つ光線を第１の光入射面２１０に投射するように第１の光源５００を個別に始動して、これにより、第１の光源５００の光線が第１の光透過板２００のガイドによって第１の光出射面２２０から出射することとなる。このように、第１の光源５００の光線は、第１の光学図形２３０によって、図３Ａに示す「笑顔」のように、発光状態の第１のライトパターン２４０を形成する。発光状態の第１のライトパターン２４０がケース１００の光透過領域１１０に現われるため、ユーザーＵは、ケース１００の光透過領域１１０によって発光状態の第１のライトパターン２４０を見ることができる。
【００１２】
逆に、図１と図３Ｂのように、制御ユニット８００は、電子装置１０が第２の状態にあると判断した場合には、第１の光源５００からの光を遮断し且つ光線を第２の光入射面３１０に投射するように第２の光源６００を個別に始動して、これにより、第２の光源６００の光線が第２の光透過板３００のガイドによって第２の光出射面３２０から出射することとなる。このように、第２の光源６００の光線は、第２の光学図形３３０によって、図３Ｂに示す「眠り顔」のように、第２のライトパターン３４０を形成する。第２のライトパターン３４０が第１の光透過板２００によってケース１００の光透過領域１１０に現われるため、ユーザーＵは、ケース１００の光透過領域１１０によって発光する第２のライトパターン３４０を見ることができる。
【００１３】
本実施形態において、更に具体的に、図２のように、第１の光透過板２００と第２の光透過板３００の何れかが、それぞれ板形又は楔形を呈し、二つの相対する主面及びその主面を取り囲む側面を有する。ただし、側面の何れかは、二つの主面の間に介在し、且つ面積が主面の何れかよりも小さい。それらのうち、主面は、上記の第１の光出射面２２０（又は第２の光出射面３２０）であり、側面の何れかが、上記の第１の光入射面２１０（又は第２の光入射面３１０）である。これ以外に、第１の光透過板２００と第２の光透過板３００は、それぞれ透明又は少なくとも光透過性を有する材質であり、例えばポリカーボネート（即ち、ＰＣ）、ポリメチルメタクリレート（即ち、アクリル）、アクリロニトリル−ブタジエン−スチレン共重合体（即ち、ＡＢＳ）等のプラスチック材料である。
【００１４】
上記の光学図形（即ち、第１の光学図形２３０と第２の光学図形３３０）は、それぞれ表面処理によって、上記の光出射面（即ち、第１の光出射面２２０と第２の光出射面３２０）に形成される。前記表面処理は、例えばレーザー・エッチング又はウェット・エッチング等の技術により行われ、凹み又は対応する反射点を形成することによって、相対的に光学図形を対応する光出射面に形成する。或いは、上記の光学図形（即ち、第１の光学図形２３０と第２の光学図形３３０）は、それぞれ「フィード処理」によって対応する光出射面（即ち、第１の光出射面２２０と第２の光出射面３２０）上に形成される。前記「フィード処理」は、例えば、対応する光出射面において平面上に隆起するように反射インク又は粒子を設ける処理のことである。
【００１５】
なお、一具体的な実施例において、第１の光源５００（及び第２の光源６００）は不連続光源である。前記不連続光源である第１の光源５００は、例えば複数の発光ダイオード部材５１０と配線板５２０を含む点光源ライトバー（Ｌｉｇｈｔ  ｂａｒ）である。同様に、第２の光源６００は、例えば複数の発光ダイオード部材６１０と配線板６２０を含む点光源ライトバーであってもよい。発光ダイオード部材５１０は、配列方向Ａに沿って直線的に配線板５２０上に配列される。複数の発光ダイオード部材５１０は、間隔をおいて配線板５２０上に配列され、且つ複数の発光ダイオード部材５１０の光出射面（発光面）Ｌがそれぞれ対応する第１の光入射面２１０に向かって発光する。このように、複数の発光ダイオード部材５１０が個別に配線板５２０に電気的に接続されるため、発光ダイオード部材５１０は、それぞれ制御ユニット８００に制御され、それぞれＯＮ・ＯＦＦ又は発光強度の調整等を変化させることができる。しかしながら、本発明は、これらに限定されるものではなく、他の実施形態において、第１の光源と第２の光源は、それぞれ連続光源、例えば冷光ライトバーであってもよい。冷光ライトバーは、均一に対応する光入射面へ発光し、光透過板内の光線輝度を均一に分配する。
【００１６】
これ以外に、一具体的な実施例において、複数の発光ダイオード部材５１０又は６１０の発光面Ｌの高さ（例えば０．６ミリメートル）は、対応する第１の光入射面２１０又は３１０の高さ（例えば０．７ミリメートル）以下である。そのため、複数の発光ダイオード部材の光線が全て対応する光透過板に入ることに寄与し、光線エネルギーの浪費を避けることができる。しかしながら、本発明はこれに限定されるものではなく、他の実施形態において、他の制限又はニーズのために、複数の発光ダイオード部材の発光面の高さを、対応する光入射面の高さより大きくしてもよい。
【００１７】
更に、一好適な実施例において、第１の光透過板２００と第２の光透過板３００との間に仕切りＧ（図示せず）が保持され、例えば、第１の光透過板２００と第２の光透過板３００との間は、直接空気による隙間又は光学ゴム層で仕切られている。このように、制御ユニット８００が第２の光源６００を個別に始動し光線を第２の光入射面３１０に投射する場合、第１の光透過板２００と第２の光透過板３００の間に仕切りＧが保持されるため、第２の光源６００の光線の一部が第１の光入射面２１０から第１の光透過板２００内に誤って入り難くなるので、輝度の低い第１のライトパターン２４０が第２のライトパターン３４０を妨害することはなく、更にユーザーが迷うことがない。
【００１８】
しかしながら、本発明はこれに限定されるものではなく、他の実施形態において、第１の光透過板と第２の光透過板は直接重なってもよく、これにより第１の光透過板と第２の光透過板との間に仕切りがなくとも、第２の光透過板から第１の光透過板への光線の強度を弱めることを避けることができる。
【００１９】
［第２の実施形態］
図４は、本発明の第２の実施形態による電子装置１１を示すブロック図である。図４のように、第２の実施形態の電子装置１１と第１の実施形態の電子装置１０とはほぼ同じであるが、その差異の一つは、電子装置１１が検索テーブル９１０を有するストレージユニット９００を更に含むことにある。検索テーブル９１０は、様々な状態と様々な操作方式の対応関係を含み、各状態が一又は複数の特定の操作方式に対応する。このように、制御ユニット８００は、電子装置１１の置かれる状態によって、検索テーブル９１０から対応する操作方式を比較対照して上記の第１の光源５００又は／及び第２の光源６００の亮灯・消灯又は発光強度を制御することができる。
【００２０】
一例を挙げれば、制御ユニット８００は、検索テーブル９１０の中の一つの操作方式によって、第１の光源５００と第２の光源６００の中の一つから光線を個別に射出するように制御することにし、第１の光源５００と第２の光源６００のうち一つを遮断する。このように、何れかのライトパターンは独立で表われてもよくて、同一領域において意味が異なるライトパターンを提供することもできる。
【００２１】
或いは、別の例を挙げれば、制御ユニット８００は、検索テーブル９１０の他種の操作方式によって、第１の光源５００及び第２の光源６００が光線を同時に射出するように制御するようにしてもよい。このように、その中の何れか二つのライトパターンの組合せによって別の新たなライトパターンを形成して、同一領域において別の意味を示すライトパターンを提供することもできる。
【００２２】
或いは、更に他の例を挙げれば、制御ユニット８００は、検索テーブル９１０の更に他の操作方式によって、上記の第１の光源５００又は／及び第２の光源６００の一部又は全部の発光ダイオード部材５１０／６１０が発光する又は消灯することにし、一部の発光ダイオード部材５１０／６１０の点灯・消灯の組合せによって別の新たなライトパターンを形成して、同一領域において別の意味を示すライトパターンを提供することもできる。
【００２３】
或いは、更に他の例を挙げれば、制御ユニット８００は、検索テーブル９１０の更に他の操作方式によって、上記の第１の光源５００又は／及び第２の光源６００の一部又は全部の発光ダイオード部材５１０が上記の配列方向Ａ（図１）に向かって徐々にその発光強度を逓増（又は逓減）することにして、これにより上記の発光状態のライトパターンがマルチレベルのグラデーション効果を発揮して、ユーザーに対してより特別な視覚経験を提供することもできる。
【００２４】
これ以外に、本実施形態において、ストレージユニット９００は、システムデフォルト値９２０とユーザー設定値９３０を更に含む。システムデフォルト値９２０は、デフォルトモデルにおいて検索テーブル９１０における対応する操作方式を記憶する。ユーザー設定値９３０は、ユーザー設定モデルにおいて検索テーブル９１０における対応する他種の操作方式を記憶する。このように、電子装置１１がデフォルトモデルに設定される場合、制御ユニット８００は、システムデフォルト値９２０によって、検索テーブル９１０から対応する操作方式を比較対照して、上記の第１の光源５００又は／及び第２の光源６００が発光するように制御する。逆に、電子装置１１がユーザー設定モデルに設定される場合、制御ユニット８００は、システムデフォルト値９２０によって、検索テーブル９１０から対応する操作方式を比較対照して上記の第１の光源５００又は／及び第２の光源６００が発光するように制御する。
【００２５】
［第３の実施形態］
図５Ａ〜図５Ｃは、本発明の第３の実施形態による電子装置１２のケース１００表面に形成された各種の（第１〜第３の）ライトパターン２４０、３４０、４４０を示す。第３の実施形態の電子装置１２と第２の実施形態の電子装置１１とはほぼ同じであるが、その差異の一つは、図４のように、制御ユニット８００が第１の光源５００及び第２の光源６００を同時に始動することにする場合、図５Ｃのように、光透過領域１１０において見られる第３のライトパターン４４０が、第１の光透過板の第１の光学図形（第１のライトパターン２４０、図５Ａを参照）と第２の光透過板の第２の光学図形（第２のライトパターン３４０、図５Ｂを参照）からなることにある。
【００２６】
これ以外に、一具体的な実施例において、第１の光源５００と第２の光源６００とは、外部に同じ色の光（例えば、赤、黄、緑又は白）を発光することに限定されるものではなく、本実施形態において、外部に異なる色の光を発光してもよい。具体的に、第１の光源５００は、外部に第１種の色の光を発光し、例えば発光ダイオード部材５１０が少なくとも一つの色（例えば、赤、黄、緑又は白）の光線を発光して、それぞれ第１種の色の光を有する第１のライトパターン２４０を表示することに供する。第２の光源６００は、外部に第１種の色の光と違う第２種の色の光を発光し、例えば発光ダイオード部材６１０が少なくとも一つの色（例えば、赤、黄、緑又は白）の光線を発光して、それぞれ第２種の色の光を有する第２のライトパターン３４０を表示するために用いられる。
【００２７】
これ以外に、第１の光源５００及び第２の光源６００を同時に始動する場合、第１の光源５００の第１種の色の光と第２の光源６００の第２種の色の光が第３種の色の光に混合されて、第３種の色の光を有する第３のライトパターン４４０を表示するために用いられる。
【００２８】
［第４の実施形態］
図６は、本発明の第４の実施形態による電子装置１３を示す側面図である。図６のように、第４の実施形態の電子装置１３と上記の各実施形態の電子装置１０〜１２とはほぼ同じであるが、その差異の一つは、上記の第１の光透過板２００又は／及び第２の光透過板３００がケース１００の内側に取り付けられ、更に特別な点は、上記の第１の光透過板２００又は／及び第２の光透過板３００が交換可能にケース１００の内側に設置される点である。例えば、ケース１００の一側に、抜き替え口１０１が設けられて、これにより上記の第１の光透過板２００が抜き取り方向Ｍに沿って抜き替え口１０１を通って、ケース１００の収納空間１２０に入る又はそこから出ることになり、異なる光学図形を有する光透過板を自由に交換することに寄与する。このように、上記の第１の光透過板２００は、ユーザーによって自由に交換することができるため、第１の光透過板２００の第１の光学図形２３０もそれに伴い交換することができ、更に光透過領域１１０において異なるライトパターンが表示することができるため、ユーザーの使用経験を豊かにすることができる。
【００２９】
しかしながら、本発明はこれに限定されるものではなく、他の実施形態において、上記の第２の光透過板又は第１の光透過板及び第２の光透過板も、交換可能にケースの収納空間内に設けることができる。
【００３０】
［第５の実施形態］
図７は、本発明の第５の実施形態による電子装置１４を示す斜視模式図である。図７のように、第５の実施形態の電子装置１４と上記の各実施形態の電子装置１０〜１３とはほぼ同じであるが、その差異の一つは、電子装置１４が第３の光透過板４００と第３の光源７００を更に含むことにある。第３の光透過板４００がケース１００の収納空間１２０内に位置し、且つ第１の光透過板２００と、第２の光透過板３００と、第３の光透過板４００が互いに重なり合う。第３の光透過板４００は、第３の光入射面４１０と、第３の光出射面４２０と、少なくとも一つの第３の光学図形４３０を少なくとも有する。第３の光学図形４３０は、第３の光出射面４２０に形成される。第１の光出射面２２０と第２の光出射面３２０は、第３の光出射面４２０とケース１００の光透過領域１１０の間に介在し、且つ第１の光出射面２２０からケース１００までの表面の投影と第３の光出射面４２０からケース１００までの表面の投影が互いに重なる。第３の光源７００は、ケース１００の収納空間１２０内に位置し、且つ第３の光透過板４００の一側に位置し、且つ第３の光入射面４１０に対向する。制御ユニット８０１は、第１の光源５００を第３の光源７００に電気的に接続して、信号を出して第１の光源５００〜第３の光源７００の一部又は全部が光線を対応する第１〜第３の光入射面２１０、３１０、４１０に投射するように制御する。なお、第１の光源５００〜第３の光源７００はそれぞれ互いに重なり合った第１の光透過板２００〜第３の光透過板４００の異なる側に位置し、且つそれぞれ同一平面（例えば、鉛直方向と直交する平面）に位置しない。
【００３１】
しかしながら、本発明はこれに限定されるものではなく、他の実施形態において、第１の光源〜第３の光源は、それぞれ互いに重なり合う第１の光透過板〜第３の光透過板の同じ側に位置してもよい。
【００３２】
［第６の実施形態］
図８は、本発明の第６の実施形態による電子装置１５を示す側面図である。図８のように、第６の実施形態の電子装置１５と上記の第１の実施形態の電子装置１０とはほぼ同じであるが、その差異の一つは、第１の光源５００と第２の光源６００がそれぞれ同一平面Ｓ（例えば、鉛直方向（Ｚ軸）と直交する水平方向（Ｘ軸）上の平面）に位置し、且つ電子装置１５が第１の導光部材２５０と第２の導光部材３５０を含み、第１の導光部材２５０が第１の光入射面２１０と第１の光源５００の発光ダイオード部材５１０の発光面Ｌに光結合され、且つ第１の光源５００の光線を第１の光入射面２１０にガイドし、第２の導光部材３５０が第２の光入射面３１０と第２の光源６００との間に光結合され、且つ第２の光源６００の光線を第２の光入射面３１０にガイドすることにある。
【００３３】
本発明の実施形態を前述の通りに開示したが、これは、本発明を限定するものではなく、当業者であれば、本発明の精神と範囲から逸脱しない限り、多様の変更や修正を加えることができ、したがって、本発明の保護範囲は、後の特許請求の範囲で指定した内容を基準とするものである。
【符号の説明】
【００３４】
１０、１１、１２、１３、１４、１５  電子装置
１００  ケース
１０１  抜き替え口
１１０  光透過領域
１２０  収納空間
２００  第１の光透過板
２１０  第１の光入射面
２２０  第１の光出射面
２３０  第１の光学図形
２４０  第１のライトパターン
２５０  第１の導光部材
３００  第２の光透過板
３１０  第２の光入射面
３２０  第２の光出射面
３３０  第２の光学図形
３４０  第２のライトパターン
３５０  第２の導光部材
４００  第３の光透過板
４１０  第３の光入射面
４２０  第３の光出射面
４３０  第３の光学図形
４４０  第３のライトパターン
５００  第１の光源
５１０、６１０  発光ダイオード部材
５２０、６２０  配線板
６００  第２の光源
７００  第３の光源
８００、８０１  制御ユニット
９００  ストレージユニット
９１０  検索テーブル
９２０  システムデフォルト値
９３０  ユーザー設定値
Ａ  配列方向
Ｄ  観察方向
Ｌ  発光面
Ｍ  抜き取り方向
Ｓ  同一平面
Ｕ  ユーザー
Ｘ、Ｚ  軸
【図１】
2016139109.tif 000003
【図２】
2016139109.tif 000004
【図３Ａ】
2016139109.tif 000005
【図３Ｂ】
2016139109.tif 000006
【図４】
2016139109.tif 000007
【図５Ａ】
2016139109.tif 000008
【図５Ｂ】
2016139109.tif 000009
【図５Ｃ】
2016139109.tif 000010
【図６】
2016139109.tif 000011
【図７】
2016139109.tif 000012
【図８】
2016139109.tif 000013